(57)【特許請求の範囲】
【請求項１】
復調データから、正常ロック状態の同期パターン又は及び擬似ロック状態の同期パターンを検出して、同期を検出する同期装置であって、
前記復調データから正常ロック状態の同期パターンを検出して同期を検出する正常ロック用同期検出手段と、
前記復調データから擬似ロック状態の同期パターンを検出して同期を検出する擬似ロック用同期検出手段と、
を備え、
前記擬似ロック用同期検出手段は、
位相が１シンボル毎に９０°単位でずれる第１の擬似ロック状態の同期パターンを検出して同期を検出する第１の擬似ロック用同期検出手段と、
位相が１シンボル毎に１８０°単位でずれる第２の擬似ロック状態の同期パターンを検出して同期を検出する第２の擬似ロック用同期検出手段と、
位相が１シンボル毎に２７０°又は−９０°単位でずれる第３の擬似ロック状態の同期パターンを検出して同期を検出する第３の擬似ロック用同期検出手段、
のいずれか一つ以上を含む
ことを特徴とする同期装置。
【請求項２】
前記正常ロック用同期検出手段と前記擬似ロック用同期検出手段の同期検出結果に応じて、正常ロック状態と擬似ロック状態のいずれの状態で同期が検出されたのかを判別する同期判別手段
を更に備えることを特徴とする請求項１記載の同期装置。
【請求項３】
前記同期判別手段は、前記正常ロック用同期検出手段の同期検出結果と、前記第１、第２、及び第３のいずれか一つ以上の擬似ロック用同期検出手段の同期検出結果とに応じて、正常ロック状態、又は、第１、第２、若しくは第３の擬似ロック状態のいずれの状態で同期が検出されたのかを判別する
ことを特徴とする請求項２記載の同期装置。
【請求項４】
前記同期判別手段の判別結果に応じて、前記復調データを出力する復調手段における、Ｉ成分とＱ成分のパラレルデータから前記復調データであるシリアルデータへのデータ変換が調整される
ことを特徴とする請求項２又は３記載の同期装置。
【請求項５】
復調データから、正常ロック状態の同期パターン又は及び擬似ロック状態の同期パターンを検出して、同期を検出する同期装置であって、
データを変復調して伝送するシステムの受信側に設けられ、
前記伝送されるデータには、同期パターンの直後に続くデータパターンとして、受信側にて擬似ロック状態で復調された場合に前記同期パターンと同じ値になるようなデータパターンが挿入されており、
正常ロック状態の同期パターンを検出して同期を検出する同期検出手段と、
擬似ロック状態の同期パターンを検出して擬似ロック状態であると判定する判定手段と、
前記同期検出手段により同期が検出され、且つ、前記判定手段により擬似ロック状態であると判定されたときに、同期位置を調整する調整手段と
を備えることを特徴とする同期装置。
【請求項６】
同期パターンの直後に固定データパターンが続くような構成を有するデータを変復調して伝送するシステムの受信側に設けられる同期装置であって、
復調データから同期パターンを検出する同期パターン検出手段と、
前記同期パターン検出手段により検出された同期パターンの直後に続くデータパターンを取得するデータパターン取得手段と、
前記データパターン取得手段により取得されたデータパターンの前記検出された同期パターンからのパターンの変化に応じて、正常ロック状態又は擬似ロック状態のいずれの状態で同期が取られているのかを判別する判別手段と
を備えることを特徴とする同期装置。
【請求項７】
復調データから正常ロック状態の同期パターン又は擬似ロック状態の同期パターンを検出して同期を検出する同期検出ステップと、
前記同期検出ステップによる検出結果に応じて、正常ロック状態又は擬似ロック状態のいずれの状態で同期が検出されたかを判別する同期判別ステップと、
を備え、
前記同期検出ステップは、前記擬似ロック状態の同期パターンとして、位相が１シンボル毎に９０°単位でずれる第１の擬似ロック状態の同期パターン、位相が１シンボル毎に１８０°単位でずれる第２の擬似ロック状態の同期パターン、又は、位相が１シンボル毎に２７０°或いは−９０°単位でずれる第３の擬似ロック状態の同期パターンを検出する
ことを特徴とする同期方法。
【請求項８】
前記同期判別ステップによる判別結果に応じて、前記復調データを出力する復調手段における、Ｉ成分とＱ成分のパラレルデータから前記復調データであるシリアルデータへのデータ変換を調整する調整ステップ
を更に備えることを特徴とする請求項７記載の同期方法。
【発明の詳細な説明】
【技術分野】
【０００１】
本発明は、擬似ロックが発生し得る復調部によって復調されたデータから同期パターンを検出して同期を検出する装置及び方法に関する。
【背景技術】
【０００２】
従来、データをデジタル変復調して伝送するシステムがある。このシステムの受信側では、受信した信号を復調部で復調し、その復調データから同期パターンを検出して同期を検出する（同期を取る）ことが行われている。
【０００３】
例えば、図１９に示したように、伝送データの１フレームが、１パケットを２０４バイトとする８パケットから構成され、且つ、先頭パケットの先頭バイトが同期バイト”Ｂ８”、残りの７つのパケットのそれぞれの先頭バイトが同期バイト”４７”で構成されたものである場合に、フレーム同期を取るとは、復調データから”Ｂ８”，”４７”，”４７”…という同期バイトのパターンを認識してフレームの先頭を検出することをいう。
【０００４】
復調データとして図１９に示した伝送データが得られた場合に、（ａ）に示す同期バイト”Ｂ８”を検出することができれば、その後の２０４バイト毎に同期バイトが存在するので、そのまま同期バイトを検出していけばフレーム同期が取れ問題はない。
【０００５】
しかしながら、同期バイトである”Ｂ８”や”４７”という値は当然データとしても存在する。従って、（ｂ）に示す”Ｂ８”を同期バイトとして検出した場合には、その２０４バイト後には同期バイト”４７”が存在しないので同期バイトの検出ミスとなり、同期バイトのパターンの認識を最初からやり直すことになる。また、これを最初からやり直すにしても次に同期バイトとして検出したものが正規の同期バイトであるとも限らず、同期バイトの検出ミスを繰り返す虞がある。
【０００６】
そこで、例えば特許文献１には、複数の同期状態マシンを設けて各々が同じ同期バイト位置を検出しないようにすることにより、同期バイトの検出ミスとなった時点で同期バイトのパターンの認識が最初からやり直されることがないようにした装置が提案されている。
【０００７】
ところで、フレーム同期の取得を遅くさせる要因として擬似ロックの発生がある。擬似ロックとは、位相が期待値に対して９０°、１８０°、又は２７０°という９０°単位でずれた状態で、復調部内のキャリア再生ループが擬似的にロックしてしまう現象である。
【０００８】
ここで、擬似ロックの一例として、位相が１シンボル毎に９０°単位でずれる場合の例を、図２０を用いて説明する。尚、同図の例は、ＱＰＳＫ（Quadrature Phase Shift Keying）の場合の例である。
【０００９】
同図左上のＩＱ平面上（Ｉ：In phase，Ｑ：Quadrature phase）に示したように、正規のロック状態で第一象限にデータ”０”がくるとする。この場合、１シンボル後に位相が９０°ずれると（左９０°回転）、同図右上のＩＱ平面上に示したように本来第一象限に存在するはずのデータ”０”が第二象限に移動した状態になる。次の１シンボル後（２シンボル後）に位相が更に９０°ずれると、同図右下のＩＱ平面上に示したように本来第一象限に存在するはずのデータ”０”が第三象限に移動した状態になる。次の１シンボル後（３シンボル後）に位相が更に９０°ずれると、同図左下のＩＱ平面上に示したように本来第一象限に存在するはずのデータ”０”が第四象限に移動した状態になる。そして、次の１シンボル後（４シンボル後）に位相が更に９０°ずれると、元の状態に戻る。以下、１シンボル毎にこの状態変化が繰り返される。このように位相が期待値に対して９０°、１８０°（９０°×２）、又は２７０°（９０°×３）ずれた状態であっても、データは異なるがシンボル点が存在する位置としてはずれていないため、復調部ではロックされたものと判断されてしまう。しかしながら、本例の場合、第一象限のデータは１シンボル毎に”０”→”３”→”２”→”１”と変化する。よって、同期バイトの”Ｂ８”，”４７”が復調部から正常に出力されることを期待できず、当然の如くフレーム同期を取ることができない。
【００１０】
一方、直交振幅変調（ＱＡＭ：Quadrature Amplitude Modulation）の場合には、図２１に示した１６ＱＡＭの場合のように、Ｉ軸、Ｑ軸の振幅（レベル)によって多値のデータを表現する。例えば、同図においてＩの振幅が”２”、Ｑの振幅が”２”の場合にはデータとして”３”が示される。
【００１１】
ここで、擬似ロックの他の一例として、１６ＱＡＭの場合であって、位相が１シンボル毎に９０°単位でずれる場合の例を、図２１及び図２２を用いて説明する。
尚、本来であれば１パケットは同期バイト＋データで構成されているが、ここでは、説明の便宜のため同期バイトのみとして説明することにする。また、前述の説明では同期バイトが”Ｂ８”，”４７”という８ビット構成であったが、ここでは下位４ビットのみの構成とする。
【００１２】
図２２において、正常なロック状態では、シンボルクロックにより同期バイトが出力されると、同図の”正常ロック”に示したように正規の同期バイトが出力され正常にフレーム同期を完了する。
【００１３】
しかしながら、擬似ロック状態では、前述のとおり位相が回転してしまうため、期待値のような値は出力されず、同図の”擬似ロック”に示したような値が出力される。
すなわち、シンボルクロック（１）にて、Ｉ＝−１，Ｑ＝１でデータ”８”が擬似ロック状態で出力されたとすると、シンボルクロック（２）では、正常なロック状態であればＩ＝２，Ｑ＝−２となりデータ”７”が出力されるが、擬似ロック状態では位相が左に９０°回転してＩ＝２，Ｑ＝２となりデータ”３”が出力される。
【００１４】
また、シンボルクロック（３）では、正常なロック状態であればＩ＝２，Ｑ＝−２となりデータ”７”となるところを、さらに位相が左に９０°回転してＩ＝−２，Ｑ＝２となりデータ”Ｂ”が出力される。尚、元の”７”の位置からは２クロック分進んだので１８０°のずれとなる。
【００１５】
また、シンボルクロック（４）では、正常なロック状態であればＩ＝２，Ｑ＝−２となりデータ”７”となるところを、さらに位相が左に９０°回転してＩ＝−２，Ｑ＝−２となりデータ”Ｆ”が出力される。尚、元の”７”の位置からは３クロック分進んだので２７０°のずれとなる。
【００１６】
シンボルクロック（５）では、ちょうど一周してきたので元の位置に戻り、Ｉ＝２，Ｑ＝−２となりデータ”７”が出力される。
このように、擬似ロック状態では復調部から出力されるデータが破壊されるため、このままではフレーム同期を取ることができない。
【００１７】
そこで、従来では、擬似ロックが発生して一定時間内にフレーム同期が取れなかった場合には、所定の制御により、一度ロックを外した状態にして再度ロックさせるというプロセスが行われている。
【００１８】
また、より短時間でフレーム同期が取れるように、例えば特許文献２には、擬似ロックの発生を早期に検出すべく、キャリア再生ループがロックしたこと及びベースバンド信号のフレームが非同期であることを検出して擬似ロックを検出するようにした直交位相復調回路が提案されている。
【特許文献１】特開２００１−０５７５４９号公報
【特許文献２】特開２０００−２７８３４４号公報
【発明の開示】
【発明が解決しようとする課題】
【００１９】
しかしながら従来において擬似ロックが発生した場合には、前述のように一度ロックを外した状態にして再度ロックさせるというプロセスが行われるので、処理が再度やり直されることになり、無駄なオーバーヘッドが発生する。また、次に正常なロック状態になる保証もない。
【００２０】
本発明は、上記実情に鑑み、擬似ロックによるオーバーヘッドを削減する同期装置及び同期方法を提供することを目的とする。
【課題を解決するための手段】
【００２１】
上記目的を達成するため、本発明の第１の態様に係る同期装置は、復調データから正常ロック状態の同期パターン又は及び擬似ロック状態の同期パターンを検出して同期を検出する、ことを特徴とする。
【００２２】
また、本発明の第２の態様に係る同期装置は、前記第１の態様において、前記復調データから正常ロック状態の同期パターンを検出して同期を検出する正常ロック用同期検出手段と、前記復調データから擬似ロック状態の同期パターンを検出して同期を検出する擬似ロック用同期検出手段と、を備えることを特徴とする。
【００２３】
また、本発明の第３の態様に係る同期装置は、前記第２の態様において、前記正常ロック用同期検出手段と前記擬似ロック用同期検出手段の同期検出結果に応じて、正常ロック状態と擬似ロック状態のいずれの状態で同期が検出されたのかを判別する同期判別手段、を更に備えることを特徴とする。
【００２４】
また、本発明の第４の態様に係る同期装置は、前記第２又は３の態様において、前記擬似ロック用同期検出手段は、位相が１シンボル毎に９０°単位でずれる第１の擬似ロック状態の同期パターンを検出して同期を検出する第１の擬似ロック用同期検出手段と、位相が１シンボル毎に１８０°単位でずれる第２の擬似ロック状態の同期パターンを検出して同期を検出する第２の擬似ロック用同期検出手段と、位相が１シンボル毎に２７０°又は−９０°単位でずれる第３の擬似ロック状態の同期パターンを検出して同期を検出する第３の擬似ロック用同期検出手段、のいずれか一つ以上を含む、ことを特徴とする。
【００２５】
また、本発明の第５の態様に係る同期装置は、前記第４の態様において、前記同期判別手段は、前記正常ロック用同期検出手段の同期検出結果と、前記第１、第２、及び第３のいずれか一つ以上の擬似ロック用同期検出手段の同期検出結果とに応じて、正常ロック状態、又は、第１、第２、若しくは第３の擬似ロック状態のいずれの状態で同期が検出されたのかを判別する、ことを特徴とする。
【００２６】
また、本発明の第６の態様に係る同期装置は、前記第３乃至５のいずれか一つの態様において、前記同期判別手段の判別結果に応じて、前記復調データを出力する復調手段における、Ｉ成分とＱ成分のパラレルデータから前記復調データであるシリアルデータへのデータ変換が調整される、ことを特徴とする。
【００２７】
また、本発明の第７の態様に係る同期装置は、前記第１の態様において、データを変復調して伝送するシステムの受信側に設けられ、前記伝送されるデータには、同期パターンの直後に続くデータパターンとして、受信側にて擬似ロック状態で復調された場合に前記同期パターンと同じ値になるようなデータパターンが挿入されており、正常ロック状態の同期パターンを検出して同期を検出する同期検出手段と、擬似ロック状態の同期パターンを検出して擬似ロック状態であると判定する判定手段と、前記同期検出手段により同期が検出され、且つ、前記判定手段により擬似ロック状態であると判定されたときに、同期位置を調整する調整手段と、を備えることを特徴とする。
【００２８】
また、本発明の第８の態様に係る同期装置は、同期パターンの直後に固定データパターンが続くような構成を有するデータを変復調して伝送するシステムの受信側に設けられる同期装置であって、復調データから同期パターンを検出する同期パターン検出手段と、前記同期パターン検出手段により検出された同期パターンの直後に続くデータパターンを取得するデータパターン取得手段と、
前記データパターン取得手段により取得されたデータパターンに応じて、正常ロック状態又は擬似ロック状態のいずれの状態で同期が取られているのかを判別する判別手段と、を備えることを特徴とする。
【００２９】
以上の本発明の各態様に係る同期装置によれば、擬似ロック状態になったとしても、従来のように一度ロックを解除して再度ロックさせるというプロセスを行うことなく同期を取ることができる。
【００３０】
また、いずれの擬似ロック状態で同期が検出されたのかを判別し、その判別結果に応じて、Ｉ成分とＱ成分のパラレルデータからシリアルデータ（復調データ）へのデータ変換が調整されることにより、擬似ロック状態で位相が回転しているデータを正常に戻すことができる。
また、本発明の第９の態様に係る同期装置は、復調データから、正常ロック状態の同期パターン又は及び擬似ロック状態の同期パターンを検出して、同期を検出する同期装置であって、前記復調データから正常ロック状態の同期パターンを検出して同期を検出する正常ロック用同期検出手段と、前記復調データから擬似ロック状態の同期パターンを検出して同期を検出する擬似ロック用同期検出手段と、を備え、前記擬似ロック用同期検出手段は、位相が１シンボル毎に９０°単位でずれる第１の擬似ロック状態の同期パターンを検出して同期を検出する第１の擬似ロック用同期検出手段と、位相が１シンボル毎に１８０°単位でずれる第２の擬似ロック状態の同期パターンを検出して同期を検出する第２の擬似ロック用同期検出手段と、位相が１シンボル毎に２７０°又は−９０°単位でずれる第３の擬似ロック状態の同期パターンを検出して同期を検出する第３の擬似ロック用同期検出手段、のいずれか一つ以上を含む、ことを特徴とする。
また、本発明の第１０の態様に係る同期装置は、復調データから、正常ロック状態の同期パターン又は及び擬似ロック状態の同期パターンを検出して、同期を検出する同期装置であって、データを変復調して伝送するシステムの受信側に設けられ、前記伝送されるデータには、同期パターンの直後に続くデータパターンとして、受信側にて擬似ロック状態で復調された場合に前記同期パターンと同じ値になるようなデータパターンが挿入されており、正常ロック状態の同期パターンを検出して同期を検出する同期検出手段と、擬似ロック状態の同期パターンを検出して擬似ロック状態であると判定する判定手段と、前記同期検出手段により同期が検出され、且つ、前記判定手段により擬似ロック状態であると判定されたときに、同期位置を調整する調整手段と、を備えることを特徴とする。
また、本発明の第１１の態様に係る同期装置は、同期パターンの直後に固定データパターンが続くような構成を有するデータを変復調して伝送するシステムの受信側に設けられる同期装置であって、復調データから同期パターンを検出する同期パターン検出手段と、前記同期パターン検出手段により検出された同期パターンの直後に続くデータパターンを取得するデータパターン取得手段と、前記データパターン取得手段により取得されたデータパターンの前記検出された同期パターンからのパターンの変化に応じて、正常ロック状態又は擬似ロック状態のいずれの状態で同期が取られているのかを判別する判別手段と、を備えることを特徴とする。
【００３１】
尚、本発明の各態様に係る同期装置は、同期方法として構成することもできる。
【発明の効果】
【００３２】
本発明によれば、擬似ロックによるオーバーヘッドを削減することができる。
【発明を実施するための最良の形態】
【００３３】
以下、図面を参照しながら本発明の実施の形態を説明する。
【実施例１】
【００３４】
図１は、本発明の実施例１に係る同期装置である同期部を含む受信装置の一部構成を示す図である。尚、この受信装置は、データをデジタル変復調して伝送するシステムにおける受信装置であり、伝送されるデータの構成は前述の図１９に示したものと同じであるとする。
【００３５】
図１において、同期検波方式のＩＱ復調部１は、受信した信号を復調してＩ成分，Ｑ成分（以下単に「Ｉ，Ｑ」という）のパラレルデータを出力する。De-Mapper２は、そのＩ，Ｑのパラレルデータをシリアルデータに変換して出力する。尚、本実施例において、ＩＱ復調部１とDe-mapper２は復調部を構成するものとする。よって、De-Mapper２から出力されるシリアルデータは復調データでもある。
【００３６】
同期部３は、De-Mapper２から出力された復調データから、正常ロック状態の同期パターン又は擬似ロック状態の同期パターンを検出してフレーム同期を検出する。また、De-Mapper２から出力された復調データを後段ユニットへ出力する。
【００３７】
図２は、同期部３の内部構成を示す図である。
同図において、０°用（正規用）同期回路４ａは、予め正常ロック用の同期バイトの情報を有しており、主信号（復調データ）から、正常ロック状態の同期バイトを検出し、その同期バイトが規定数回繰り返されたのを確認すると同期信号として”Ｈ”を出力する。前述の図２２の例に合わせて説明すると、正常ロック状態の同期バイトである（但しここでは下位４ビット）”８”→”７”→”７”→”７”→”７”→”７”→”７”→”７”→”８”…を検出し、その同期バイトが規定回数繰り返されたのを確認すると同期信号として”Ｈ”を出力する。このように０°用同期回路４ａから”Ｈ”の同期信号が出力されたときは、正常ロック状態でフレーム同期が検出されたことになる。
【００３８】
９０°用同期回路４ｂは、予め位相が１シンボル毎に９０°単位でずれる擬似ロック状態（左９０°回転）の同期バイトの情報を有しており、主信号から、そのような擬似ロック状態の同期バイトを検出し、その同期バイトが規定数回繰り返されたのを確認すると同期信号として”Ｈ”を出力する。前述の図２２の例に合わせて説明すると、位相が１シンボル毎に９０°単位でずれる擬似ロック状態の同期バイトである（但し下位４ビットのみ）”８”→”３”→”Ｂ”→”Ｆ”→”７”→”７”→”Ｂ”→”Ｆ”→”８”…を検出し、その同期バイトが規定回数繰り返されたのを確認すると同期信号として”Ｈ”を出力する。このように９０°用同期回路４ｂから”Ｈ”の同期信号が出力されたときは、位相が１シンボル毎に９０°単位でずれる擬似ロック状態でフレーム同期が検出されたことになる。
【００３９】
１８０°用同期回路４ｃは、予め位相が１シンボル毎に１８０°単位でずれる擬似ロック状態（１８０°回転）の同期バイトの情報を有しており、主信号から、そのような擬似ロック状態の同期バイトを検出し、その同期バイトが規定数回繰り返されたのを確認すると同期信号として”Ｈ”を出力する。前述の図２２の例に合わせて説明すると、位相が１シンボル毎に１８０°単位でずれる擬似ロック状態の同期バイトである（但し下位４ビットのみ）”８”→”Ｂ”→”７”→”Ｂ”→”７”→”Ｂ”→”７”→”Ｂ”→”８”…を検出し、その同期バイトが規定回数繰り返されたのを確認すると同期信号として”Ｈ”を出力する。このように１８０°用同期回路４ｃから”Ｈ”の同期信号が出力されたときは、位相が１シンボル毎に１８０°単位でずれる擬似ロック状態でフレーム同期が検出されたことになる。
【００４０】
２７０°用同期回路４ｄは、予め位相が１シンボル毎に２７０°（−９０°）単位でずれる擬似ロック状態（左２７０°（右９０°）回転）の同期バイトの情報を有しており、主信号から、そのような擬似ロック状態の同期バイトを検出し、その同期バイトが規定数回繰り返されたのを確認すると同期信号として”Ｈ”を出力する。前述の図２２の例に合わせて説明すると、位相が１シンボル毎に２７０°（−９０°）単位でずれる擬似ロック状態の同期バイトである（但し下位４ビットのみ）”８”→”Ｆ”→”Ｂ”→”３”→”７”→”Ｆ”→”Ｂ”→”３”→”８”…を検出し、その同期バイトが規定回数繰り返されたのを確認すると同期信号として”Ｈ”を出力する。このように２７０°用同期回路４ｄから”Ｈ”の同期信号が出力されたときは、位相が１シンボル毎に２７０°（−９０°）単位でずれる擬似ロック状態でフレーム同期が検出されたことになる。
【００４１】
尚、同期回路４（４ａ、４ｂ、４ｃ、４ｄ）の各々から出力される同期信号は、同期制御回路５及び同期判別回路６へ入力される。
ここで、図３(a),(b)を用いて、同期回路４の構成及び動作を、さらに詳細に説明する。但し、同期回路４の各々は、検出する同期バイトの値が異なるだけでそれ以外の構成及び動作は同じである。そこで、ここでは代表として同期回路４ａのみについて説明する。
【００４２】
図３(a)は、同期回路４ａの内部構成を示す図、同図(b)は、その動作の一例を示す図である。
同図(a),(b)において、同期バイト検出回路７は、主信号（復調データ）から、正常ロック状態の同期バイトである”Ｂ８”、”４７”、”４７”…の検出を行う。これらの同期バイトの検出では、まず”Ｂ８”を検出すると検出信号として”Ｈ”を出力し、以後２０４バイト毎に以降の同期バイトの検出を行い、検出ミスとなると検出信号として”Ｌ”を出力する。また、同期バイト検出回路７は、検出周期確認回路８からリセット信号として”Ｈ”のパルスが入力されると、再び”Ｂ８”から正常ロック状態の同期バイトの検出を始める。また、同期バイト検出回路７は、入力された主信号を検出周期確認回路８へ出力する。
【００４３】
検出周期確認回路８は、同期バイト検出回路７から出力される主信号と検出信号とから、同期バイトの検出周期が所定周期繰り返されたことを確認したら同期信号として”Ｈ”を出力する。同図(b)の例では、２パケット相当の同期バイトが検出されたらフレーム同期が検出されたとしているので、同期バイトの検出周期が２周期繰り返されたことを確認したところで（同図(b)の「２回目」のところで）同期信号として”Ｈ”を出力している。尚、ここでは説明の便宜のため２パケット相当の同期バイトが検出されたらフレーム同期が取れたとしたが、実際の運用では、もっと多くのデータ量相当（例えば５フレーム相当）の同期バイトが検出されたらフレーム同期が取れたとされている。また、検出周期確認回路８は、検出信号が”Ｈ”から”Ｌ”に変化するのを検出したら、同期信号として”Ｌ”を出力すると共に、リセット信号として”Ｈ”のパルスを同期バイト検出回路７へ出力する。
【００４４】
図２において、同期制御回路５は、同期回路４から出力される同期信号に応じて同期回路４へ制御信号を出力し、同期回路４の駆動を制御する。詳しくは、同期回路４の全てが”Ｌ”の同期信号を出力していることを検出したときには同期回路４の全てを駆動させるようにし、同期回路４のいずれかが”Ｈ”の同期信号を出力したことを検出したときには、その”Ｈ”の同期信号を出力した同期回路以外の同期回路の駆動を停止させるようにする排他動作制御を行う。
【００４５】
ここで、図４を用いて、同期制御回路５の動作を、さらに詳細に説明する。
同図は、同期制御回路５の動作の一例を示す図である。
尚、同図では、同期回路４ａ、４ｂ、４ｃ、４ｄの各々から出力される同期信号を、それぞれ同期信号０°、９０°、１８０°、２７０°として表している。また、同期回路４ａ、４ｂ、４ｃ、４ｄの各々へ出力される制御信号を、それぞれ制御信号０°、９０°、１８０°、２７０°として表している。また、同期回路４の各々は、入力された制御信号が”Ｌ”であるときに駆動し”Ｈ”であるときに停止するものとする。
【００４６】
同図に示したように、同期制御回路５は、同期信号０°、９０°、１８０°、２７０°の全てが”Ｌ”であるときに、例えば正常ロック状態となって同期回路４ａから”Ｈ”の同期信号０°が出力されたことを検出すると、制御信号０°以外の制御信号９０°、１８０°、２７０°としてそれぞれ”Ｈ”を出力し、同期回路４ａ以外の同期回路４ｂ、４ｃ、４ｄの駆動を停止させるようにする。
【００４７】
また、同期制御回路５は、同期信号０°、９０°、１８０°、２７０°のいずれもが”Ｌ”になったことを検出すると、制御信号０°、９０°、１８０°、２７０°としてそれぞれ”Ｌ”を出力し、同期回路４の全てを駆動させる。
【００４８】
図２において、同期判別回路６は、同期回路４のいずれかから”Ｈ”の同期信号が出力されているときに、同期信号として”Ｈ”を出力する。すなわち、同期判別回路６は、図５に示すように、同期回路４の出力をＯＲ（論理和演算）する構成を有している。尚、同図では同期信号１８０°、２７０°の信号波形の図示を省略している。また、同期判別回路６は、同期回路４のいずれが”Ｈ”の同期信号を出力しているかを判定することにより、正常ロック状態でフレーム同期しているのか、それとも、位相が１シンボル毎に９０°、１８０°、又は２７０°単位でずれる擬似ロック状態でフレーム同期しているのかを判別する。また、同期判別回路６は、同期部３に入力された主信号を後段ユニットへ出力する。
【００４９】
以上のような同期部３の構成により、位相が１シンボル毎に９０°、１８０°、又は２７０°単位でずれる擬似ロック状態になったとしても、従来のように一度ロックを解除して再度ロックさせるというプロセスを行うことなくフレーム同期を取ることができるので、擬似ロックによるオーバーヘッドを削減することができる。
【００５０】
また、フレーム同期が、正常ロック状態で取られているのか、それとも、位相が１シンボル毎に９０°、１８０°、又は２７０°単位でずれる擬似ロック状態で取られているのかを判別することができるので、その判別結果に応じて、De-Mapper２におけるＩ，Ｑパラレルデータからシリアルデータへのデータ変換（例えば図２１に示したＩ，Ｑの値からデータへの変換）を調整することにより、擬似ロック状態で位相が回転しているデータを正常に戻すことが可能となる。例えば、本実施例に係る復調部がＤＶＢ−Ｃ（ＤＶＢ：Digital Video Broadcasting）に準拠したＱＡＭ方式を採用している場合には、１シンボルで表されるデータの上位２ビットを調整することにより、位相が回転しているデータを正常に戻すことが可能となる。
【００５１】
尚、本実施例では、同期回路４ｂ、４ｃ、４ｄを設けて、同期判別回路６が３種類の擬似ロック状態のうちのいずれの状態でフレーム同期が取られているのかを判別可能としたが、例えば、同期回路４ｂ、４ｃ、４ｄのうちの一つ又は二つを設けるようにして、同期判別回路６が、１又は２種類の擬似ロック状態のうちのいずれの状態でフレーム同期が取られているのかを判別可能とするようにしてもよい。
【００５２】
また、本実施例において、同期部３が検出する擬似ロック状態の同期バイトは、次のことに留意して決定する必要がある。
実際の伝送データは、バイト単位で送信されてくるのではなくビットストリームの形で送信されてくる。よって、同期バイトの検出もシリアルデータから抽出する必要がある。例えば同期回路４ａは、図６に示すようなシリアルデータから同期バイトである”Ｂ８”，”４７”を抽出する。この場合、最初のビットからの８ビットは”Ｄ５”、２ビット目からの８ビットは”ＡＢ”、３ビット目からの８ビットは”５７”というように、同期回路４ａは、１ビットづつずらしながら同期バイトの検出を行う。同図の例では、６ビット目からの８ビット（＊で示す８ビット）が”Ｂ８”となり、これが同期バイトとして検出されることになる。
【００５３】
また、変調方式とシンボルクロックにも複雑な関係がある。例えば図２１に示した１６ＱＡＭの場合は１シンボル当たり４ビットとなる。その他、３２ＱＡＭの場合は５ビット、６４ＱＡＭの場合は６ビット、１２８ＱＡＭの場合は７ビット、２５６ＱＡＭの場合は８ビットとなる。例えば、１２８ＱＡＭの場合は1シンボルで７ビットのデータが出力されるので、前述の図６に示したデータパターンの場合は、図７に示したように１シンボル毎に切り分けられる。
【００５４】
さらに、前述の図２２の例では簡略化のために同期バイト以外のデータ部分を省略したが、このデータ部分についても本来考える必要がある。本実施例の場合、図８に示したように、１パケットは同期バイト＋データで合計２０４バイトの構成をとる。よって、同期バイトは２０４バイトごとに出現することになり、これは擬似ロック状態における回転位置に影響を与える。
【００５５】
これらのことを踏まえ、次に、１６ＱＡＭ、１２８ＱＡＭ、及び２５６ＱＡＭの各々の場合の擬似ロック状態の同期バイトの具体例について説明する。
まず、図９を用いて、１６ＱＡＭの場合について説明する。尚、同図の例は、位相が１シンボル毎に９０°単位でずれる擬似ロック状態（左９０°回転）であってシンボルクロックが同期バイトの先頭に一致している場合の例である。１６ＱＡＭの場合は、１シンボル毎に４ビット分のデータが出力される。よって、同期バイト８ビットを構成するためには２シンボル分のデータが必要となり、下位の４ビットに関しては擬似ロックによる影響を受けることになる。また、２０４バイト後に現れる次の同期バイトの回転数は、（２０４＊８）／４で求められ、その回転位置は、（２０４＊８）／４％４＝０（％は剰余算であり余りを計算）となり、ちょうど元の位置へ戻ってくる。
【００５６】
図９に示した例では、期待値”Ｂ８”に対し、上位４ビットの”Ｂ”は擬似ロックの影響を受けないので期待値どおり”Ｂ”が出力される。しかしながら次の下位４ビットについては、シンボルクロックが1つ進むので期待値”８”に対して位相が９０°回転した値になり”Ｃ”となる。
次の同期バイトについても同様に、期待値”４７”に対して、上位４ビットの”４”はそのまま、下位４ビットの”７”については擬似ロックによる影響を受けて”３”が出力される。
【００５７】
結果、正常ロック状態において”Ｂ８”→”４７”→”４７”→”４７”→”４７”→”４７”→”４７”→”４７”→”Ｂ８”…となる同期バイトは、位相が１シンボル毎に９０°単位でずれる擬似ロック状態（左９０°回転）では、”ＢＣ”→”４３”→”４３”→”４３”→”４３”→”４３”→”４３”→”４３”→”ＢＣ”…となる。
【００５８】
次に、図１０を用いて、１２８ＱＡＭの場合について説明する。尚、同図の例も、位相が１シンボル毎に９０°単位でずれる擬似ロック状態（左９０°回転）であってシンボルクロックが同期バイトの先頭に一致している場合の例である。１２８ＱＡＭの場合は、１シンボル毎に７ビット分のデータを出力する。従って、２０４バイト後に現れる次の同期バイトの回転位置は、（２０４＊８）／７％４＝１となり、位相が期待値に対して９０°分回転することになる。また、２０４＊８＝１６３２ビットは７ビットで割り切れないので、２０４バイト後の同期バイトは２つのシンボルに跨ることになる。１６３２％ ７＝１となり、１ビット足りない。このことは、図１０に示したように、次の同期バイトがシンボル２３３と２３４の２シンボルから構成されることを示す。このとき、シンボル２３３の位相は左に９０°回転し、シンボル２３４の位相は左に更に９０°回転することとなる。以降の同期バイトについても同様にして考えると、同図に示したようになる。
【００５９】
すなわち、正常ロック状態において”Ｂ８”→”４７”→”４７”→”４７”→”４７”→”４７”→”４７”→”４７”→”Ｂ８”…となる同期バイトは、位相が１シンボル毎に９０°単位でずれる擬似ロック状態（左９０°回転）では、”Ｂ９”→”４４”→”４５”→”４７”→”５７”→”７７”→”０７”→”４７”→”３Ｂ”…となる。
【００６０】
尚、この１２８ＱＡＭの場合のように１シンボルが７ビットであるため各同期バイトが1ビットずつずれていくような場合は、検出する同期バイトのパターンが増大し回路規模という点で不利になる場合がある。そこで、これを回避するために、この１２８ＱＡＭの場合には８フレーム毎に同じ同期バイトのパターンを繰り返すという特性を利用して、８フレームおきに同期バイトの存在を確認するようにして、同期バイトのパターンを少なくすることもできる。この場合、同じ同期バイトのパターンが出現する位置は推測できるので、２０４バイトのパケット単位ではなく、同じ同期パターンが出現する周期を確認タイミングとして処理する。
【００６１】
次に、図１１及び図１２を用いて、２５６ＱＡＭの場合について説明する。２５６ＱＡＭの場合は、１シンボル毎に８ビット分のデータを出力する。従って、シンボルクロックが同期バイトの先頭に一致している場合には、２０４バイト後に現れる次の同期バイトの回転数は、（２０４＊８）／８で求められ、その回転位置は、（２０４＊８）／４％４＝０となり、ちょうど元の位置へ戻ってくる。
【００６２】
しかしながら、本例および、前述の１６ＱＡＭ及び１２８ＱＡＭの場合の例においても、シンボルクロックと同期バイトの先頭が一致しているとは限らない。例えば、図１１に示す２５６ＱＡＭの場合のように、シンボルクロックと同期バイトの先頭が６ビット分ずれるような場合も有り得る。
【００６３】
復調部がＤＶＢ−Ｃに準拠したＱＡＭ方式である場合、１シンボルで表されるデータの上位２ビットは、そのシンボルがＩＱ平面上の何れの象限に存在するかにより決定する。擬似ロック状態では象限がずれるので、その上位２ビットが変化する。よって、その上位２ビットの部分について考慮すればよい。簡単な方法としては、その上位２ビットが変化するパターンを全て用意する。
【００６４】
例えば２５６ＱＡＭ方式の場合、同期バイト”Ｂ８”について、０、１、２、３、４、５、６、及び７ビットずれの各々における、１シンボルで表されるデータの上位２ビットが変化したときのパターンは、図１２に示したようになり、結果として１７通りとなる。尚、同図においては、その上位２ビットを四角で囲ってで示している。よって、この同期バイト”Ｂ８”については、その１７通りのパターンを認識可能に同期部を構成すればよいことになる。
【００６５】
尚、その一方で、擬似ロックで変化するビットをマスクして認識しないようにし、擬似ロックで変化しない残りのビットを認識して、フレーム同期を検出するようにするという方法も考えられる。
【実施例２】
【００６６】
次に、本発明の実施例２に係る同期装置について説明する。
本実施例に係る同期装置である同期部は、データをＱＰＳＫ方式で変復調して伝送するシステムにおける受信装置に備えられている。この受信装置は、実施例１と同様に、図１に示した構成を有している。但し、本実施例に係る同期部では、正常ロック状態の同期バイトを検出してフレーム同期を検出すること、及び、位相が１シンボル毎に９０°単位でずれる擬似ロック状態（左９０°回転）の同期バイトを検出してフレーム同期を検出することが可能になっている。尚、伝送されるデータの構成は、前述の図１９に示したものと同じとする。
【００６７】
本実施例において、正常ロック状態のＩＱ平面上のシンボル点のデータを、前述の図２０に示した左上のＩＱ平面上のシンボル点のデータとすると、本実施例に係る同期部が検出する、ビットずれを考慮した擬似ロック状態の同期バイトのパターンは、図１３に示すように８通りになる。また、このときの同期バイト”Ｂ８”についてのパターンの詳細を、図１４に示す。尚、同図に示す０、１、２、３、４、５、６、及び７ビットずれの各々におけるパターンにおいて、（１）に示す２ビットは位相ずれなし（回転なし）を示し、（２）に示す２ビットは位相が９０°回転していることを示し、（３）に示す２ビットは位相が９０°×２回転していることを示し、（４）に示す２ビットは位相が９０°×３回転していることを示している。
【００６８】
本実施例に係る同期部は、正常ロック状態の同期バイト”Ｂ８”、又は、図１４に示した擬似ロック状態の同期バイトの８通り（”８３”、”２４”、…、”Ｄ４”、”ＣＥ”）のいずれか一つを検出したら、そこからフレーム同期の検出を開始する構成をとる。
【００６９】
図１５は、本実施例に係る同期部の構成及び動作の一例を示す図である。
同図において、同期バイト検出回路９は、入力される主信号（シリアルデータストリーム）から、図１３に示した同期バイトを取り出す。同期回路１０は、その同期バイトを監視して、規定フレーム数をクリアした場合に同期信号として”Ｈ”を出力する。
【００７０】
例えば、図１５に示したように、同期バイト検出回路９が、最初に現れた（１）に示すバイトデータ”Ｂ８”を検出すると、同期回路１０に捕捉を要求する信号（同期捕捉信号）として”Ｈ”を出力する。同期回路１０はその信号を受けると２０４バイト後に同期バイトが存在するかを確認する。尚、（１）に示すバイトデータ”Ｂ８”の直後に（２）に示す本来の同期バイト”５Ｅ”が存在しているが捕捉中であるため無視される。同様に前述の同期バイトに一致する（６）に示すバイトデータ”２９”があるがこれも捕捉中のため無視される。（１）に示すバイトデータ”Ｂ８”から２０４バイト後（（３）に示す位置）を確認すると期待された同期バイト”４７”ではないため（１）に示すバイトデータ”Ｂ８”が同期バイトでないことが判明する。すると、同期捕捉信号がリセットされ再度捕捉できる状態にされる。続いて、（４）に示す同期バイト”８３”が現れ、これを検出すると、そこから２０４バイト後(（５）に示す位置)に同期バイト”５Ｅ”が存在するかを確認する。（５）に示す位置には期待された同期バイト”５Ｅ”が存在するので、これを検出してフレーム同期が検出されたこととなり同期信号として”Ｈ”を出力する（但し、この動作例では、説明の便宜のために、１パケット相当の同期バイトを検出して”Ｈ”の同期信号を出力するようにしている。）。
【００７１】
以上のような同期部の構成により、位相が１シンボル毎に９０°単位でずれる擬似ロック状態になったとしても、従来のように一度ロックを解除して再度ロックさせるというプロセスを行うことなくフレーム同期を取ることができるので、擬似ロックによるオーバーヘッドを削減することができる。
【００７２】
また、フレーム同期が、正常ロック状態で取られているのか、それとも、擬似ロック状態で取られているのかを、同期検出を開始した際の最初の同期バイトのパターンに応じて判別することができるので、その判別結果に応じて、同期部の前段にあるDe-MapperにおけるＩ，Ｑパラレルデータからシリアルデータへのデータ変換を調整することにより、擬似ロック状態で位相が回転しているデータを正常に戻すことが可能になる。
【実施例３】
【００７３】
次に、本発明の実施例３に係る同期装置について説明する。
本実施例に係る同期装置である同期部は、実施例１と同様に、データをデジタル変復調して伝送するシステムにおける受信装置に備えられている。この受信装置は、ＤＶＢ−Ｃに準拠し、実施例１と同様に、図１に示した構成を有している。但し、本実施例において、伝送されるデータは、トランスポートストリーム（ＴＳ）のように同期バイトの直後にＭＰＥＧ（Moving Picture Experts Group）のヘッダなど固定のデータパターンが続くような構成を有するデータであるとする。それに対応して本実施例に係る同期部は、その固定のデータ部分を利用して擬似ロック状態の回転状況を確認するようにしたものである。
【００７４】
例えば２５６ＱＡＭの場合には８ビット単位でデータが送られてくる。この場合、図１６に示すＴＳパケットの例では、同期バイトの”Ｂ８”が検出された場合に、その次のバイトデータ（正常ロック状態では”１Ｆ”）を取得して、その変化を確認することで擬似ロック状態の回転状況を把握することができる。また、その変化を確認することで、正常ロック状態又は擬似ロック状態のいずれの状態で同期が取られているのかを判別することができる。すなわち、擬似ロック状態の回転状況は１シンボルで表されるデータの上位２ビットに影響するので、同期バイト”Ｂ８”の直後のバイトデータとして”１Ｆ”が得られた場合には回転なし、すなわち、正常ロック状態で同期していると判別される。或いは、同期バイト”Ｂ８”の直後のバイトデータとして”５Ｆ”が得られた場合には第一象限から第四象限に移動したので右回転、すなわち、位相が１シンボル毎に−９０°単位でずれる擬似ロック状態で同期していると判別される。若しくは、同期バイト”Ｂ８”の直後のバイトデータとして”９Ｆ”が得られた場合には左回転、すなわち、位相が１シンボル毎に９０°単位でずれる擬似ロック状態で同期していると判別される。
【００７５】
以上のような同期部の構成により、位相が１シンボル毎に９０°、１８０°、又は−９０°（２７０°）単位でずれる擬似ロック状態になったとしても、従来のように一度ロックを解除して再度ロックさせるというプロセスを行うことなく同期を取ることができるので、擬似ロックによるオーバーヘッドを削減することができる。
【００７６】
また、同期が、正常ロック状態で取られているのか、それとも、いずれの擬似ロック状態で取られているのかを判別することができるので、その判別結果に応じて、同期部の前段にあるDe-MapperにおけるＩ，Ｑパラレルデータからシリアルデータへのデータ変換を調整することにより、擬似ロック状態で位相が回転しているデータを正常に戻すことが可能になる。
【実施例４】
【００７７】
次に、本発明の実施例４に係る同期装置について説明する。
本実施例に係る同期装置である同期部は、データをＱＰＳＫ方式で変復調して伝送するシステムにおける受信装置に備えられている。
【００７８】
本実施例では、このシステムの送信側にて、通常の同期バイトと同様に、擬似ロック状態に対応した同期バイトを予めパケット内に挿入しておくものである。挿入しておく同期バイトとしては、擬似ロック状態になった場合に、正常ロック状態の同期バイト”Ｂ８”,“４７”と同じコードが出力されるようになるコードが適用される。これにより、本実施例に係る同期部では、１つの同期回路で擬似ロック状態に対応することができ、回路規模の増大を抑えることができる。
【００７９】
図１７を用いて、より詳しく説明すると、伝送データ（同図の伝送信号）に、正常な同期バイト”Ｂ８”、”４７”に続けて擬似ロックを想定したバイトデータを予め挿入しておく。そして、そのバイトデータが擬似ロック状態になったときに、De-Mapper１２におけるデータ変換後の主信号として”Ｂ８”、”４７”が出力されるようにしておく。尚、同図において、ＩＱ復調部１１とDe-Mapper１２と同期部１３は、受信装置の一部構成を示しいる。
【００８０】
同図の例では、伝送データに挿入された正常な同期バイト”Ｂ８”の次のバイトデータとして、位相が１シンボル毎に９０°単位でずれる擬似ロック状態を想定した同期バイト”７７”が挿入されている。このとき、De-Mapper１２におけるデータ変換後の主信号において、これらのバイトデータは、正常ロック状態であれば”Ｂ８”、”７７”となるが、擬似ロック状態では”８３”、”Ｂ８”となる。
【００８１】
このように、擬似ロック状態になったときに正常な同期バイトと同じコード”Ｂ８”、”４７”が出力されるようにしておくことで、次段の同期部１３は、正常なロック状態の同期バイトを検出して同期を検出する従来の回路とほぼ同じ回路を使用することができる。尚、ほぼ同じ回路としたのは、同期位置が本来の同期位置に対して１バイト後になるため、それを調整する回路が必要となるからである。
【００８２】
本実施例に係る同期部１３は、例えば図１８に示した構成をとる。
同図において、同期バイト検出回路１４は、入力主信号（シリアルデータストリーム）から同期バイトを取り出す。同期回路１５は、その同期バイトを監視して、規定フレーム数をクリアした場合に同期信号を出力する。擬似ロック判定回路１６は、正常ロック状態の同期バイトが擬似ロック状態でどのようなバイトデータになるのかわかっているので（例えば同期バイト”Ｂ８”が”８３”になる）、そのバイトデータを監視することにより、正常ロック状態か擬似ロック状態かを判定する。また、同期部１３は、擬似ロック判定回路１６により擬似ロック状態と判定された場合には、前述のとおり同期位置が本来の同期位置に対して１バイト後になるため、それを調整する。
【００８３】
以上のような同期部１３の構成により、予め想定された擬似ロックが発生した場合には、従来のように一度ロックを解除して再度ロックさせるというプロセスを行うことなく同期を取ることができるので、擬似ロックによるオーバーヘッドを削減することができる。
【００８４】
また、同期が、正常ロック状態又は想定された擬似ロック状態のいずれの状態で取られているのかを判定することができるので、その判定結果に応じて、De-Mapper１２におけるＩ，Ｑパラレルデータからシリアルデータへのデータ変換を調整することにより、擬似ロック状態で位相が回転しているデータを正常に戻すことが可能になる。
【００８５】
以上、本発明について詳細に説明したが、本発明は上記実施形態に限定されず、本発明の要旨を逸脱しない範囲において、各種の改良及び変更を行っても良いのはもちろんである。
【００８６】
（付記１）
復調データから、正常ロック状態の同期パターン又は及び擬似ロック状態の同期パターンを検出して、同期を検出する
ことを特徴とする同期装置。
【００８７】
（付記２）
前記復調データから正常ロック状態の同期パターンを検出して同期を検出する正常ロック用同期検出手段と、
前記復調データから擬似ロック状態の同期パターンを検出して同期を検出する擬似ロック用同期検出手段と
を備えることを特徴とする付記１記載の同期装置。
【００８８】
（付記３）
前記正常ロック用同期検出手段と前記擬似ロック用同期検出手段の同期検出結果に応じて、正常ロック状態と擬似ロック状態のいずれの状態で同期が検出されたのかを判別する同期判別手段
を更に備えることを特徴とする付記２記載の同期装置。
【００８９】
（付記４）
前記擬似ロック用同期検出手段は、
位相が１シンボル毎に９０°単位でずれる第１の擬似ロック状態の同期パターンを検出して同期を検出する第１の擬似ロック用同期検出手段と、
位相が１シンボル毎に１８０°単位でずれる第２の擬似ロック状態の同期パターンを検出して同期を検出する第２の擬似ロック用同期検出手段と、
位相が１シンボル毎に２７０°又は−９０°単位でずれる第３の擬似ロック状態の同期パターンを検出して同期を検出する第３の擬似ロック用同期検出手段、
のいずれか一つ以上を含む
ことを特徴とする付記２又は３記載の同期装置。
【００９０】
（付記５）
前記同期判別手段は、前記正常ロック用同期検出手段の同期検出結果と、前記第１、第２、及び第３のいずれか一つ以上の擬似ロック用同期検出手段の同期検出結果とに応じて、正常ロック状態、又は、第１、第２、若しくは第３の擬似ロック状態のいずれの状態で同期が検出されたのかを判別する
ことを特徴とする付記４記載の同期装置。
【００９１】
（付記６）
前記擬似ロック用同期検出手段、又は、前記第１、第２、及び第３のいずれか一つ以上の擬似ロック用同期検出手段の各々は、所定量のデータ毎に擬似ロック状態の同期パターンを検出して同期を検出する
ことを特徴とする付記２乃至５のいずれか一つに記載の同期装置。
【００９２】
（付記７）
前記同期判別手段の判別結果に応じて、前記復調データを出力する復調手段における、Ｉ成分とＱ成分のパラレルデータから前記復調データであるシリアルデータへのデータ変換が調整される
ことを特徴とする付記３乃至６のいずれか一つに記載の同期装置。
【００９３】
（付記８）
復調データから、正常ロック状態の同期パターンまたは擬似ロック状態の同期パターンを検出する同期パターン検出手段と、
前記同期パターン検出手段が正常ロック状態の同期パターンの先頭を検出したときは所定量のデータ毎に以降の正常ロック状態の同期パターンを検出して同期を検出し、前記同期パターン検出手段が擬似ロック状態の同期パターンの先頭を検出したときは所定量のデータ毎に以降の擬似ロック状態の同期パターンを検出して同期を検出する同期検出手段と
を備えることを特徴とする付記１記載の同期装置。
【００９４】
（付記９）
データを変復調して伝送するシステムの受信側に設けられ、
前記伝送されるデータには、同期パターンの直後に続くデータパターンとして、受信側にて擬似ロック状態で復調された場合に前記同期パターンと同じ値になるようなデータパターンが挿入されており、
正常ロック状態の同期パターンを検出して同期を検出する同期検出手段と、
擬似ロック状態の同期パターンを検出して擬似ロック状態であると判定する判定手段と、
前記同期検出手段により同期が検出され、且つ、前記判定手段により擬似ロック状態であると判定されたときに、同期位置を調整する調整手段と
を備えることを特徴とする付記１記載の同期装置。
【００９５】
（付記１０）
同期パターンの直後に固定データパターンが続くような構成を有するデータを変復調して伝送するシステムの受信側に設けられる同期装置であって、
復調データから同期パターンを検出する同期パターン検出手段と、
前記同期パターン検出手段により検出された同期パターンの直後に続くデータパターンを取得するデータパターン取得手段と、
前記データパターン取得手段により取得されたデータパターンに応じて、正常ロック状態又は擬似ロック状態のいずれの状態で同期が取られているのかを判別する判別手段と
を備えることを特徴とする同期装置。
【００９６】
（付記１１）
前記判別手段は、前記データパターン取得手段により取得されたデータパターンの値に応じて、正常ロック状態であるか、又は、位相が１シンボル毎に９０°、１８０°、或いは２７０°若しくは−９０°単位でずれる擬似ロック状態であるかを判別する
ことを特徴とする付記１０記載の同期装置。
【００９７】
（付記１２）
復調データから正常ロック状態の同期パターン又は擬似ロック状態の同期パターンを検出して同期を検出する同期検出ステップと、
前記同期検出ステップによる検出結果に応じて、正常ロック状態又は擬似ロック状態のいずれの状態で同期が検出されたかを判別する同期判別ステップと
を備えることを特徴とする同期方法。
【００９８】
（付記１３）
前記同期検出ステップは、前記擬似ロック状態の同期パターンとして、位相が１シンボル毎に９０°単位でずれる第１の擬似ロック状態の同期パターン、  位相が１シンボル毎に１８０°単位でずれる第２の擬似ロック状態の同期パターン、又は、位相が１シンボル毎に２７０°或いは−９０°単位でずれる第３の擬似ロック状態の同期パターンを検出する
ことを特徴とする付記１２記載の同期方法。
【００９９】
（付記１４）
前記同期判別ステップは、前記同期検出ステップによる検出結果に応じて、正常ロック状態、又は、第１、第２、若しくは第３の擬似ロック状態のいずれの状態で同期が検出されたのかを判別する
ことを特徴とする付記１３記載の同期装置。
【０１００】
（付記１５）
前記同期判別ステップによる判別結果に応じて、前記復調データを出力する復調手段における、Ｉ成分とＱ成分のパラレルデータから前記復調データであるシリアルデータへのデータ変換を調整する調整ステップ
を更に備えることを特徴とする付記１２乃至１４のいずれか一つに記載の同期方法。
【図面の簡単な説明】
【０１０１】
【図１】実施例１に係る同期装置である同期部を含む受信装置の一部構成を示す図である。
【図２】同期部の内部構成を示す図である。
【図３】(a)は同期回路の内部構成を示す図、(b)はその動作の一例を示す図である。
【図４】同期制御回路の動作の一例を示す図である。
【図５】同期判別回路の動作の一例を示す図である。
【図６】シリアルデータの一例を示す図である。
【図７】データパターンが１シンボル毎に切り分けられた例を示す図である。
【図８】１パケットの構成を示す図である。
【図９】１６ＱＡＭの場合における擬似ロック状態の同期バイトの一例を説明する図である。
【図１０】１２８ＱＡＭの場合における擬似ロック状態の同期バイトの一例を説明する図である。
【図１１】２５６ＱＡＭの場合においてシンボルクロックと同期バイトの先頭が６ビット分ずれた場合の一例を示す図である。
【図１２】２５６ＱＡＭの場合に、同期バイト”Ｂ８”についての０、１、２、３、４、５、６、及び７ビットずれの各々における１シンボルで表されるデータの上位２ビットが変化したときのパターンを示す図である。
【図１３】実施例２に係る同期部が検出するビットずれを考慮した擬似ロック状態の同期バイトのパターンを示す図である。
【図１４】同期バイト”Ｂ８”についてのビットずれを考慮した擬似ロック状態のパターンを示す図である。
【図１５】実施例２に係る同期部の構成及び動作の一例を示す図である。
【図１６】同期バイトの直後に固定のデータパターンが続くＴＳパケットの一例を示す図である。
【図１７】伝送データに擬似ロックを想定した同期バイトを挿入して処理が行われたときの動作の一例を説明する図である。
【図１８】実施例４に係る同期部の構成を示す図である。
【図１９】伝送データのフレーム構成の一例を示す図である。
【図２０】擬似ロックの一例を説明する図である。
【図２１】１６ＱＡＭの場合のＩ，Ｑとデータとの対応関係を示す図である。
【図２２】擬似ロックの他の一例を説明する図である。
【符号の説明】
【０１０２】
１      ＩＱ復調部
２      De-Mapper
３      同期部
４      同期回路
５      同期制御回路
６      同期判別回路
７      同期バイト検出回路
８      検出周期確認回路
９      同期バイト検出回路
１０    同期回路
１１    ＩＱ復調部
１２    De-Mapper
１３    同期部
１４    同期バイト検出回路
１５    同期回路
１６    擬似ロック判定回路
【図１】
0004791199.tif 000002
【図２】
0004791199.tif 000003
【図３】
0004791199.tif 000004
【図４】
0004791199.tif 000005
【図５】
0004791199.tif 000006
【図６】
0004791199.tif 000007
【図７】
0004791199.tif 000008
【図８】
0004791199.tif 000009
【図９】
0004791199.tif 000010
【図１０】
0004791199.tif 000011
【図１１】
0004791199.tif 000012
【図１２】
0004791199.tif 000013
【図１３】
0004791199.tif 000014
【図１４】
0004791199.tif 000015
【図１５】
0004791199.tif 000016
【図１６】
0004791199.tif 000017
【図１７】
0004791199.tif 000018
【図１８】
0004791199.tif 000019
【図１９】
0004791199.tif 000020
【図２０】
0004791199.tif 000021
【図２１】
0004791199.tif 000022
【図２２】
0004791199.tif 000023